(57)【特許請求の範囲】
【請求項１】
発生器（Ｇ）、該発生器（Ｇ）から得られた冷媒蒸気（Ｒｓ）を凝縮液化する凝縮器（Ｃ）、該凝縮器（Ｃ）で凝縮液化された冷媒（Ｒｗ）を蒸発気化させる蒸発器（Ｅ）および該蒸発器（Ｅ）で蒸発気化された冷媒蒸気（Ｒｓ）を前記発生器（Ｇ）で得られた濃溶液（Ｌｃ）に吸収して前記発生器（Ｇ）へ供給される希溶液（Ｌｄ）を生成する吸収器（Ａ）を備えた吸収式冷凍装置であって、前記蒸発器（Ｅ）と前記吸収器（Ａ）とを水平に並べて一体化してなる二つのユニット（Ｕ），（Ｕ）を配設するとともに、一方のユニット（Ｕ）を構成する吸収器（Ａ）の出口からの希溶液（Ｌｄ）の大部分を、一方のユニット（Ｕ）を構成する蒸発器（Ｅ）の熱交換部（７）、他方のユニット（Ｕ）を構成する吸収器（Ａ）における熱交換部（８）および空冷熱交換器（Ｈａ）を経て一方のユニット（Ｕ）を構成する吸収器（Ａ）の上部に還流させる還流回路（６）を付設したことを特徴とする吸収式冷凍装置。
【請求項２】
前記ユニット（Ｕ），（Ｕ）を、上下方向に２段積層としたことを特徴とする請求項１記載の吸収式冷凍装置。
【請求項３】
前記ユニット（Ｕ），（Ｕ）を、並列設置としたことを特徴とする請求項１記載の吸収式冷凍装置。
【請求項４】
前記還流回路（６）における前記空冷熱交換器（Ｈａ）の出口側には、前記発生器（Ｇ）からの濃溶液（Ｌｃ）の一部を合流させる合流点（９）を設けたことを特徴とする請求項１、２および３のいずれか一項記載の吸収式冷凍装置。
【請求項５】
前記還流回路（６）における前記空冷熱交換器（Ｈａ）の入口側には、前記発生器（Ｇ）からの濃溶液（Ｌｃ）の一部を合流させる合流点（１０）を設けたことを特徴とする請求項１、２および３のいずれか一項記載の吸収式冷凍装置。
【請求項６】
前記還流回路（６）における前記空冷熱交換器（Ｈａ）の入口側には、前記発生器（Ｇ）からの濃溶液（Ｌｃ）の全部を合流させる合流点（１１）を設けるとともに、前記還流回路（６）における前記空冷熱交換器（Ｈａ）の出口側には、前記他方のユニット（Ｕ）を構成する吸収器（Ａ）の上部に過冷却溶液の一部を供給する分岐回路（１２）を付設したことを特徴とする請求項１、２および３のいずれか一項記載の吸収式冷凍装置。
【請求項７】
加熱媒体（Ｗｈ）がシリーズに流れる二つの発生器（Ｇ），（Ｇ）と、それぞれの発生器（Ｇ），（Ｇ）において発生する冷媒蒸気（Ｒｓ）をそれぞれ凝縮する二つの空冷凝縮器（Ｃ），（Ｃ）とを設けるとともに、他方側の蒸発器（Ｅ）には、温度の高い加熱媒体（Ｗｈ）により発生され、一方の空冷凝縮器（Ｃ）で凝縮された冷媒（Ｒｗ）を供給する一方、一方側の蒸発器（Ｅ）には、温度の低い加熱媒体（Ｗｈ）により発生され、他方の空冷凝縮器（Ｃ）で凝縮された冷媒（Ｒｗ）を供給するように構成したことを特徴とする請求項１、２、３、４、５および６のいずれか一項記載の吸収式冷凍装置。
【発明の詳細な説明】
【技術分野】
【０００１】
本願発明は、吸収式冷凍装置に関するものである。
【背景技術】
【０００２】
ＬｉＢｒ水溶液の濃度変化を利用したＬｉＢｒ式の吸収式冷凍装置は、従来からよく知られているが、この種の吸収式冷凍装置において、吸収器に入る溶液（濃溶液）を空冷熱交換器にて過冷却し、吸収器では、冷媒蒸気（水蒸気）を溶液に吸収させるだけとする間接空冷（溶液分離冷却）方式を採用しているものが既に提案されている（特許文献１参照）。
【０００３】
【特許文献１】特開平７−９８１６３号公報。
【発明の開示】
【発明が解決しようとする課題】
【０００４】
ところで、上記特許文献１に開示されている間接空冷（溶液分離冷却）方式を採用した場合、冷媒蒸気の吸収という物質移動と冷却という熱移動とが分離されているため、吸収器を小型化することが可能であるが、冷媒蒸気の吸収熱を、過冷却された溶液の保有する顕熱だけで処理することとなっているため、吸収器出口における溶液温度が、従来の直接空冷方式の場合よりも高温となるおそれがあり、蒸発器における蒸発温度が上昇し、蒸発器における冷水出口温度（即ち、利用側温度）が低下しにくくなるという不具合が起きる。また、間接空冷方式を採用した場合、発生器における排熱温度も高くなり、発生器での交換熱量が減少するという不具合が起きる。
【０００５】
本願発明は、上記の点に鑑みてなされたもので、冷水出口温度（即ち、利用側温度）の低下を可能とするとともに、発生器での排熱温度を低下させ得るようにすることを目的としている。
【課題を解決するための手段】
【０００６】
本願発明では、上記課題を解決するための第１の手段として、発生器Ｇ、該発生器Ｇから得られた冷媒蒸気Ｒｓを凝縮液化する凝縮器Ｃ、該凝縮器Ｃで凝縮液化された冷媒Ｒｗを蒸発気化させる蒸発器Ｅおよび該蒸発器Ｅで蒸発気化された冷媒蒸気Ｒｓを前記発生器Ｇで得られた濃溶液Ｌｃに吸収して前記発生器Ｇへ供給される希溶液Ｌｄを生成する吸収器Ａを備えた吸収式冷凍装置において、前記蒸発器Ｅと前記吸収器Ａとを水平に並べて一体化してなる二つのユニットＵ，Ｕを配設するとともに、一方のユニットＵを構成する吸収器Ａの出口からの希溶液Ｌｄの大部分を、一方のユニットＵを構成する蒸発器Ｅの熱交換部７、他方のユニットＵを構成する吸収器Ａにおける熱交換部８および空冷熱交換器Ｈａを経て一方のユニットＵを構成する吸収器Ａの上部に還流させる還流回路６を付設している。
【０００７】
上記のように構成したことにより、一方のユニットＵを構成する吸収器Ａの出口からの希溶液Ｌｄの大部分は、一方のユニットＵを構成する蒸発器Ｅの熱交換部７、他方のユニットＵを構成する吸収器Ａの熱交換部８および空冷熱交換器Ｈａを経て過冷却状態で一方のユニットＵを構成する吸収器Ａの上部に還流されるが、一方のユニットＵを構成する吸収器Ａの出口からの希溶液Ｌｄの一部は、発生器Ｇにおいて濃縮されて濃溶液となり、該濃溶液Ｌｃは、他方のユニットＵを構成する吸収器Ａの上部に供給される。従って、ユニットＵ，Ｕにおいては、他方側の吸収器Ａでは他方側の蒸発器Ｅで蒸発した冷媒蒸気Ｒｓが濃溶液Ｌｄに吸収され、冷媒蒸気Ｒｓの吸収により希釈された溶液は一方側の吸収器Ａに流入する。そのとき発生する吸収熱は、一方側の蒸発器Ｅの熱交換部７において冷却された希溶液Ｌｄの顕熱により取り去られる。一方、一方側の吸収器Ａでは一方側の蒸発器Ｅで蒸発した冷媒蒸気Ｒｓを吸収してさらに希釈され、そのとき発生する吸収熱は、過冷却された溶液が保有する顕熱で取り去られることとなる。一方側の蒸発器Ｅで冷却された希溶液Ｌｄにより他方側の吸収器Ａが冷却されることにより、他方側の蒸発器Ｅにおける蒸発温度を低くすることができるとともに、一方側の蒸発器Ｅにおける蒸発温度を高くすることができることとなり、他方側での冷凍能力を確保できるとともに、発生器Ｇでの加熱媒体（例えば、排温水）Ｗｈの温度が低くなって、発生器Ｇでの加熱量が増加する。
【０００８】
本願発明では、さらに、上記課題を解決するための第２の手段として、上記第１の手段を備えた吸収式冷凍装置において、前記ユニットＵ，Ｕを上下方向に２段積層とすることもでき、そのように構成した場合、上段側のユニットＵから下段側のユニットＵへの冷媒および吸収溶液の流下をヘッド差を利用して行うことができるところから、ユニットＵ，Ｕの組立構造が簡略となる。
【０００９】
本願発明では、さらに、上記課題を解決するための第３の手段として、上記第１の手段を備えた吸収式冷凍装置において、前記ユニットＵ，Ｕを並列設置とすることもでき、そのように構成した場合、ユニットＵ，Ｕの設置高さを抑えることができる。
【００１０】
本願発明では、さらに、上記課題を解決するための第４の手段として、上記第１、第２又は第３の手段を備えた吸収式冷凍装置において、前記還流回路６における前記空冷熱交換器Ｈａの出口側に、前記発生器Ｇからの濃溶液Ｌｃの一部を合流させる合流点９を設けることもでき、そのように構成した場合、一方側の吸収器Ａからの希溶液Ｌｄの大部分は、一方側の蒸発器Ｅの熱交換部７、他方側の吸収器Ａの熱交換部８および空冷熱交換器Ｈａを経て過冷却状態となり、空冷熱交換器Ｈａの出口側で発生器Ｇからの濃溶液Ｌｃの一部と合流した後に一方側の吸収器Ａの上部に還流されることとなり、一方側の吸収器Ａにおける吸収熱の発生量を抑制できることとなり、吸収熱の除去が容易となる。なお、一方側の吸収器Ａへ還流される溶液の温度が少し高くなるが、発生器Ｇからの濃溶液Ｌｃの量が少ないので問題とはならない。
【００１１】
本願発明では、さらに、上記課題を解決するための第５の手段として、上記第１、第２又は第３の手段を備えた吸収式冷凍装置において、前記還流回路６における前記空冷熱交換器Ｈａの入口側に、前記発生器Ｇからの濃溶液Ｌｃの一部を合流させる合流点１０を設けることもでき、そのように構成した場合、一方側の吸収器Ａからの希溶液Ｌｄの大部分は、一方側の蒸発器Ｅの熱交換部７および他方側の吸収器Ａの熱交換部８を経た後、発生器Ｇにおいて冷媒蒸気Ｒｓを発生して濃縮された濃溶液Ｌｃの一部と合流し、空冷熱交換器Ｈａで過冷却された状態で一方側の吸収器Ａの上部へ還流されることとなり、一方側の吸収器Ａにおける吸収熱の発生量を抑制できるとともに、下段側の吸収器Ａに還流される溶液温度を低く抑えることができ、吸収熱の除去がより容易となる。
【００１２】
本願発明では、さらに、上記課題を解決するための第６の手段として、上記第１、第２又は第３の手段を備えた吸収式冷凍装置において、前記還流回路６における前記空冷熱交換器Ｈａの入口側に、前記発生器Ｇからの濃溶液Ｌｃの全部を合流させる合流点１１を設けるとともに、前記還流回路６における前記空冷熱交換器Ｈａの出口側に、他方側の吸収器Ａの上部に過冷却溶液の一部を供給する分岐回路１２を付設することもでき、そのように構成した場合、一方側の吸収器Ａからの溶液の大部分は、一方側の蒸発器Ｅの熱交換部７および他方側の吸収器Ａの熱交換部８を経た後、発生器Ｇにおいて冷媒蒸気Ｒｓを発生して濃縮された濃溶液Ｌｃの全部と合流し、空冷熱交換器Ｈａで過冷却された状態で一方側および他方側の吸収器Ａ，Ａへ還流されることとなり、他方側の吸収器Ａへ供給される吸収溶液の温度が低くなるとともに、一方側の吸収器Ａにおける吸収熱の発生量を抑制でき且つ一方側の吸収器Ａに還流される溶液温度を低く抑えることができ、吸収熱の除去がより一層容易となる。
【００１３】
本願発明では、さらに、上記課題を解決するための第７の手段として、上記第１、第２、第３、第４、第５又は第６の手段を備えた吸収式冷凍装置において、加熱媒体Ｗｈがシリーズに流れる二つの発生器Ｇ，Ｇと、それぞれの発生器Ｇ，Ｇにおいて発生する冷媒蒸気Ｒｓをそれぞれ凝縮する二つの空冷凝縮器Ｃ，Ｃとを設けるとともに、他方側の蒸発器Ｅに、温度の高い加熱媒体Ｗｈにより発生され、一方の空冷凝縮器Ｃで凝縮された冷媒Ｒｗを供給する一方、一方側の蒸発器Ｅに、温度の低い加熱媒体Ｗｈにより発生され、他方の空冷凝縮器Ｃで凝縮された冷媒Ｒｗを供給するように構成することもでき、そのように構成した場合、加熱媒体Ｗｈの温度レベルにより被加熱側の濃縮される溶液の濃度が変化するため、加熱媒体Ｗｈの保有する熱を有効に利用することができることとなり、加熱媒体Ｗｈとして排温水を用いた場合の排熱回収効率が向上することとなる。
【発明の効果】
【００１４】
本願発明の第１の手段によれば、発生器Ｇ、該発生器Ｇから得られた冷媒蒸気Ｒｓを凝縮液化する凝縮器Ｃ、該凝縮器Ｃで凝縮液化された冷媒Ｒｗを蒸発気化させる蒸発器Ｅおよび該蒸発器Ｅで蒸発気化された冷媒蒸気Ｒｓを前記発生器Ｇで得られた濃溶液Ｌｃに吸収して前記発生器Ｇへ供給される希溶液Ｌｄを生成する吸収器Ａを備えた吸収式冷凍装置において、前記蒸発器Ｅと前記吸収器Ａとを水平に並べて一体化してなる二つのユニットＵ，Ｕを配設するとともに、一方のユニットＵを構成する吸収器Ａの出口からの希溶液Ｌｄの大部分を、一方のユニットＵを構成する蒸発器Ｅの熱交換部７、他方のユニットＵを構成する吸収器Ａにおける熱交換部８および空冷熱交換器Ｈａを経て一方のユニットＵを構成する吸収器Ａの上部に還流させる還流回路６を付設して、ユニットＵ，Ｕにおいては、他方側の吸収器Ａでは他方側の蒸発器Ｅで蒸発した冷媒蒸気Ｒｓが濃溶液Ｌｄに吸収され、冷媒蒸気Ｒｓの吸収により希釈された溶液は一方側の吸収器Ａに流入し、そのとき発生する吸収熱は、一方側の蒸発器Ｅの熱交換部７において冷却された希溶液Ｌｄの顕熱により取り去られる一方、一方側の吸収器Ａでは一方側の蒸発器Ｅで蒸発した冷媒蒸気Ｒｓを吸収してさらに希釈され、そのとき発生する吸収熱は、過冷却された溶液が保有する顕熱で取り去られるようにしたので、一方側の蒸発器Ｅで冷却された希溶液Ｌｄにより他方側の吸収器Ａが冷却されることにより、他方側の蒸発器Ｅにおける蒸発温度を低くすることができるとともに、一方側の蒸発器Ｅにおける蒸発温度を高くすることができることとなり、他方側での冷凍能力を確保できるとともに、発生器Ｇでの加熱媒体（例えば、排温水）Ｗｈの温度が低くなって、発生器Ｇでの加熱量が増加するという効果がある。
【００１５】
本願発明の第２の手段におけるように、上記第１の手段を備えた吸収式冷凍装置において、前記ユニットＵ，Ｕを上下方向に２段積層とすることもでき、そのように構成した場合、上段側のユニットＵから下段側のユニットＵへの冷媒および吸収溶液の流下をヘッド差を利用して行うことができるところから、ユニットＵ，Ｕの組立構造が簡略となる。
【００１６】
本願発明の第３の手段におけるように、上記第１の手段を備えた吸収式冷凍装置において、前記ユニットＵ，Ｕを並列設置とすることもでき、そのように構成した場合、ユニットＵ，Ｕの設置高さを抑えることができる。
【００１７】
本願発明の第４の手段におけるように、上記第１、第２又は第３の手段を備えた吸収式冷凍装置において、前記還流回路６における前記空冷熱交換器Ｈａの出口側に、前記発生器Ｇからの濃溶液Ｌｃの一部を合流させる合流点９を設けることもでき、そのように構成した場合、一方側の吸収器Ａからの希溶液Ｌｄの大部分は、一方側の蒸発器Ｅの熱交換部７、他方側の吸収器Ａの熱交換部８および空冷熱交換器Ｈａを経て過冷却状態となり、空冷熱交換器Ｈａの出口側で発生器Ｇからの濃溶液Ｌｃの一部と合流した後に一方側の吸収器Ａの上部に還流されることとなり、一方側の吸収器Ａにおける吸収熱の発生量を抑制できることとなり、吸収熱の除去が容易となる。なお、一方側の吸収器Ａへ還流される溶液の温度が少し高くなるが、発生器Ｇからの濃溶液Ｌｃの量が少ないので問題とはならない。
【００１８】
本願発明の第５の手段におけるように、上記第１、第２又は第３の手段を備えた吸収式冷凍装置において、前記還流回路６における前記空冷熱交換器Ｈａの入口側に、前記発生器Ｇからの濃溶液Ｌｃの一部を合流させる合流点１０を設けることもでき、そのように構成した場合、一方側の吸収器Ａからの希溶液Ｌｄの大部分は、一方側の蒸発器Ｅの熱交換部７および他方側の吸収器Ａの熱交換部８を経た後、発生器Ｇにおいて冷媒蒸気Ｒｓを発生して濃縮された濃溶液Ｌｃの一部と合流し、空冷熱交換器Ｈａで過冷却された状態で一方側の吸収器Ａの上部へ還流されることとなり、一方側の吸収器Ａにおける吸収熱の発生量を抑制できるとともに、下段側の吸収器Ａに還流される溶液温度を低く抑えることができ、吸収熱の除去がより容易となる。
【００１９】
本願発明の第６の手段におけるように、上記第１、第２又は第３の手段を備えた吸収式冷凍装置において、前記還流回路６における前記空冷熱交換器Ｈａの入口側に、前記発生器Ｇからの濃溶液Ｌｃの全部を合流させる合流点１１を設けるとともに、前記還流回路６における前記空冷熱交換器Ｈａの出口側に、他方側の吸収器Ａの上部に過冷却溶液の一部を供給する分岐回路１２を付設することもでき、そのように構成した場合、一方側の吸収器Ａからの溶液の大部分は、一方側の蒸発器Ｅの熱交換部７および他方側の吸収器Ａの熱交換部８を経た後、発生器Ｇにおいて冷媒蒸気Ｒｓを発生して濃縮された濃溶液Ｌｃの全部と合流し、空冷熱交換器Ｈａで過冷却された状態で一方側および他方側の吸収器Ａ，Ａへ還流されることとなり、他方側の吸収器Ａへ供給される吸収溶液の温度が低くなるとともに、一方側の吸収器Ａにおける吸収熱の発生量を抑制でき且つ一方側の吸収器Ａに還流される溶液温度を低く抑えることができ、吸収熱の除去がより一層容易となる。
【００２０】
本願発明の第７の手段におけるように、上記第１、第２、第３、第４、第５又は第６の手段を備えた吸収式冷凍装置において、加熱媒体Ｗｈがシリーズに流れる二つの発生器Ｇ，Ｇと、それぞれの発生器Ｇ，Ｇにおいて発生する冷媒蒸気Ｒｓをそれぞれ凝縮する二つの空冷凝縮器Ｃ，Ｃとを設けるとともに、他方側の蒸発器Ｅに、温度の高い加熱媒体Ｗｈにより発生され、一方の空冷凝縮器Ｃで凝縮された冷媒Ｒｗを供給する一方、一方側の蒸発器Ｅに、温度の低い加熱媒体Ｗｈにより発生され、他方の空冷凝縮器Ｃで凝縮された冷媒Ｒｗを供給するように構成することもでき、そのように構成した場合、加熱媒体Ｗｈの温度レベルにより被加熱側の濃縮される溶液の濃度が変化するため、加熱媒体Ｗｈの保有する熱を有効に利用することができることとなり、加熱媒体Ｗｈとして排温水を用いた場合の排熱回収効率が向上することとなる。
【発明を実施するための最良の形態】
【００２１】
以下、添付の図面を参照して、本願発明の幾つかの好適な実施の形態について説明する。
【００２２】
第１の実施の形態
図１には、本願発明の第１の実施の形態にかかる吸収式冷凍装置における吸収冷凍サイクルが示されている。
【００２３】
この吸収冷凍サイクルは、冷媒（例えば、水）を吸収する能力に優れた吸収剤（例えば、ＬｉＢｒ）の水溶液（以下、単に希溶液という）の冷媒吸収能力が増強するように該溶液を加熱媒体（例えば、排温水）Ｗｈで加熱して濃縮するための発生器Ｇと、該発生器Ｇにおいて溶液から分離した蒸気（冷媒）Ｒｓを導入してこれを冷却することによって液化させる凝縮器Ｃと、該凝縮器Ｃによって液化された冷媒Ｒｗを導入して低圧下で蒸発（気化）させる蒸発器Ｅと、該蒸発器Ｅで発生した蒸気（冷媒）Ｒｓを吸収するために前記発生器Ｇで濃縮された濃溶液Ｌｃを収容する吸収器Ａと、該吸収器Ａで蒸気（冷媒）Ｒｓを吸収したことによって希釈された溶液（希溶液）Ｌｄを濃縮するために再び発生器Ｇへ送り込むための溶液ポンプＰと、該溶液ポンプＰから吐出される希溶液Ｌｄの一部（大部分）を導入してこれを冷却する空冷熱交換器Ｈａとを備えて構成されている。符号Ｈｂは吸収器Ａから出た希溶液Ｌｄの一部（発生器Ｇへ供給される希溶液Ｌｄ）と発生器Ｇから出た濃溶液Ｌｃとを熱交換する溶液熱交換器、Ｆ1は凝縮器Ｃを空冷する冷却ファン、Ｆ2は空冷熱交換器Ｈａを空冷する冷却ファンである。
【００２４】
また、この吸収冷凍サイクルにおいては、前記蒸発器Ｅおよび吸収器Ａは一体化されてユニットＵを構成している。
【００２５】
上記ユニットＵは、図２に示すように、蒸発器Ｅと吸収器Ａとを水平に並べて一体化して構成されており、本実施の形態においては、前記ユニットＵ，Ｕは上下方向に２段積層されている。このようにすると、上段側のユニットＵから下段側のユニットＵへの冷媒および吸収溶液の流下をヘッド差を利用して行うことができるところから、ユニットＵ，Ｕの組立構造が簡略となる。ここで、ユニットＵ，Ｕにおける蒸発器Ｅ，Ｅおよび吸収器Ａ，Ａはそれぞれ連通可能な構造とされている。
【００２６】
前記各ユニットＵにおいては、左側に蒸発器Ｅを、右側に吸収器Ｅをそれぞれ形成してなるプレート１，１・・を複数枚積層し、前記蒸発器Ｅにおいては、凝縮器Ｃから供給された凝縮水（液冷媒）が内部を流れる水と熱交換して蒸発気化するとともに、利用側の熱源として冷水Ｗｃが得られる一方、前記吸収器Ａにおいては、発生器Ｇから供給された濃溶液Ｌｃに蒸発器Ｅから得られた蒸気（冷媒）Ｒｓが吸収されることにより、溶液濃度が希釈されることとなっている。符号２はユニットＵの外郭を構成するケーシング、３は吸収器Ａに供給された溶液を均等に散布するための散布トレー、４は冷水通路、５は吸収器Ａを構成する多孔部材である。なお、前記各プレート１は、熱良導体（例えば、鋼板、ステンレス鋼等）により製作される。
【００２７】
そして、本実施の形態においては、一方側（即ち、下段側）の吸収器Ａから出た希溶液Ｌｄの大部分を一方側（即ち、下段側）の蒸発器Ｅの熱交換部７および他方側（即ち、上段側）の吸収器Ａの熱交換部８を経た後に空冷熱交換器Ｈａで過冷却し、下段側の吸収器Ａの上部に還流させる還流回路６が付設されている。
【００２８】
上記のように構成したことにより、下段側の吸収器Ａの出口からの希溶液Ｌｄの大部分は、下段側の蒸発器Ｅの熱交換部７、上段側の吸収器Ａの熱交換部８および空冷熱交換器Ｈａを経て過冷却状態で下段側の吸収器Ａの上部に還流されるが、下段側の吸収器Ａの出口からの希溶液Ｌｄの一部は、発生器Ｇにおいて濃縮されて濃溶液となり、該濃溶液Ｌｃは、上段側の吸収器Ａの上部に供給される。従って、ユニットＵ，Ｕにおいては、上段側の吸収器Ａでは上段側の蒸発器Ｅで蒸発した冷媒蒸気Ｒｓが濃溶液Ｌｄに吸収され、冷媒蒸気Ｒｓの吸収により希釈された溶液は下段側の吸収器Ａに流入する。そのとき発生する吸収熱は、下段側の蒸発器Ｅの熱交換部７において冷却された希溶液Ｌｄの顕熱により取り去られる。一方、下段側の吸収器Ａでは下段側の蒸発器Ｅで蒸発した冷媒蒸気Ｒｓを吸収してさらに希釈され、そのとき発生する吸収熱は、過冷却された溶液が保有する顕熱で取り去られることとなる。下段側の蒸発器Ｅで冷却された希溶液Ｌｄにより上段側の吸収器Ａが冷却されることにより、上段側の蒸発器Ｅにおける蒸発温度を低くすることができるとともに、下段側の蒸発器Ｅにおける蒸発温度を高くすることができることとなり、上段側での冷凍能力を確保できるとともに、発生器Ｇでの加熱媒体（例えば、排温水）Ｗｈの温度が低くなって、発生器Ｇでの加熱量が増加する。
【００２９】
第２の実施の形態
図３には、本願発明の第２の実施の形態にかかる吸収式冷凍装置における吸収冷凍サイクルが示されている。
【００３０】
この場合、還流回路６における空冷熱交換器Ｈａの出口側には、発生器Ｇからの濃溶液Ｌｃの一部を合流させる合流点９が設けられている。このようにすると、下段側の吸収器Ａからの希溶液Ｌｄの大部分は、下段側の蒸発器Ｅの熱交換部７、上段側の吸収器Ａの熱交換部８および空冷熱交換器Ｈａを経て過冷却状態となり、空冷熱交換器Ｈａの出口側で発生器Ｇからの濃溶液Ｌｃの一部と合流した後に下段側の吸収器Ａの上部に還流されることとなり、下段側の吸収器Ａにおける吸収熱の発生量を抑制でき、吸収熱の除去が容易となる。なお、下段側の吸収器Ａへ還流される溶液の温度が少し高くなるが、発生器Ｇからの濃溶液Ｌｃの量が少ないので問題とはならない。
【００３１】
その他の構成および作用効果は、第１の実施の形態におけると同様なので説明を省略する。
【００３２】
第３の実施の形態
図４には、本願発明の第３の実施の形態にかかる吸収式冷凍装置における吸収冷凍サイクルが示されている。
【００３３】
この場合、還流回路６における空冷熱交換器Ｈａの入口側には、発生器Ｇからの濃溶液Ｌｃの一部を合流させる合流点１０が設けられている。このようにすると、下段側の吸収器Ａからの希溶液Ｌｄの大部分は、下段側の蒸発器Ｅの熱交換部７および上段側の吸収器Ａの熱交換部８を経た後、発生器Ｇにおいて冷媒蒸気Ｒｓを発生して濃縮された濃溶液Ｌｃの一部と合流し、空冷熱交換器Ｈａで過冷却された状態で下段側の吸収器Ａの上部へ還流されることとなり、下段側の吸収器Ａにおける吸収熱の発生量を抑制できるとともに、下段側の吸収器Ａに還流される溶液温度を低く抑えることができ、吸収熱の除去がより容易となる。
【００３４】
その他の構成および作用効果は、第１の実施の形態におけると同様なので説明を省略する。
【００３５】
第４の実施の形態
図５には、本願発明の第４の実施の形態にかかる吸収式冷凍装置における吸収冷凍サイクルが示されている。
【００３６】
この場合、還流回路６における空冷熱交換器Ｈａの入口側には、前記発生器Ｇからの濃溶液Ｌｃの全部を合流させる合流点１１が設けられており、前記還流回路６における前記空冷熱交換器Ｈａの出口側には、上段側の吸収器Ａの上部に過冷却溶液の一部を供給する分岐回路１２が付設されている。このようにすると、下段側の吸収器Ａからの希溶液Ｌｄの大部分は、下段側の蒸発器Ｅの熱交換部７および上段側の吸収器Ａの熱交換部８を経た後、発生器Ｇにおいて冷媒蒸気Ｒｓを発生して濃縮された濃溶液Ｌｃの全部と合流し、空冷熱交換器Ｈａで過冷却された状態で上段側および下段側の吸収器Ａ，Ａの上部へ還流されることとなり、上段側の吸収器Ａへ供給される吸収溶液の温度が低くなるとともに、下段側の吸収器Ａにおける吸収熱の発生量を抑制でき且つ下段側の吸収器Ａに還流される溶液温度を低く抑えることができ、吸収熱の除去がより一層容易となる。
【００３７】
その他の構成および作用効果は、第１の実施の形態におけると同様なので説明を省略する。
【００３８】
第５の実施の形態
図６には、本願発明の第５の実施の形態にかかる吸収式冷凍装置における吸収冷凍サイクルが示されている。
【００３９】
この場合、加熱媒体Ｗｈがシリーズに流れる二つの発生器Ｇ，Ｇと、それぞれの発生器Ｇ，Ｇにおいて発生する冷媒蒸気をそれぞれ凝縮する二つの空冷凝縮器Ｃ，Ｃとが設けられており、上段側の蒸発器Ｅには、上流側に位置する温度の高い加熱媒体Ｗｈにより発生され、一方の空冷凝縮器Ｃで凝縮された冷媒Ｒｗを供給する一方、前記下段側の蒸発器Ｅに、下流側に位置する温度の低い加熱媒体Ｗｈにより発生され、他方の空冷凝縮器Ｃで凝縮された冷媒を供給するように構成されている。このようにすると、加熱媒体Ｗｈの温度レベルにより被加熱側の濃縮される溶液の濃度が変化するため、加熱媒体Ｗｈの保有する熱を有効に利用することができることとなり、加熱媒体として排熱流体を用いた場合の排熱回収効率が向上することとなる。
【００４０】
その他の構成および作用効果は、第１の実施の形態におけると同様なので説明を省略する。なお、上記第２〜第４の実施の形態にかかる吸収式冷凍装置にも、本実施の形態を適用することは可能である。
【００４１】
第６の実施の形態
図７には、本願発明の第６の実施の形態にかかる吸収式冷凍装置における吸収冷凍サイクルが示されている。
【００４２】
この場合、ユニットＵ，Ｕは、並列設置とされており、還流回路６は、一方のユニットＵを構成する吸収器Ａの出口からの希溶液Ｌｄの大部分が、一方のユニットＵを構成する蒸発器Ｅの熱交換部７、他方のユニットＵを構成する吸収器Ａにおける熱交換部８および空冷熱交換器Ｈａを経て一方のユニットＵを構成する吸収器Ａの上部に還流するように構成されている。このようにすると、ユニットＵ，Ｕの設置高さを抑えることができる。
【００４３】
その他の構成および作用効果は、第１の実施の形態におけると同様なので説明を省略する。なお、上記第１〜第５の実施の形態にかかる吸収式冷凍装置にも、本実施の形態を適用することは可能である。
【００４４】
本願発明は、上記各実施の形態に限定されるものではなく、発明の要旨を逸脱しない範囲において適宜設計変更可能なことは勿論である。
【図面の簡単な説明】
【００４５】
【図１】本願発明の第１の実施の形態にかかる吸収式冷凍装置における吸収冷凍サイクルを示す系統図である。
【図２】本願発明の第１の実施の形態にかかる吸収式冷凍装置における蒸発器・吸収器ユニットの正面図である。
【図３】本願発明の第２の実施の形態にかかる吸収式冷凍装置における吸収冷凍サイクルを示す系統図である。
【図４】本願発明の第３の実施の形態にかかる吸収式冷凍装置における吸収冷凍サイクルを示す系統図である。
【図５】本願発明の第４の実施の形態にかかる吸収式冷凍装置における吸収冷凍サイクルを示す系統図である。
【図６】本願発明の第５の実施の形態にかかる吸収式冷凍装置における吸収冷凍サイクルを示す系統図である。
【図７】本願発明の第６の実施の形態にかかる吸収式冷凍装置における吸収冷凍サイクルを示す系統図である。
【符号の説明】
【００４６】
６は還流回路
７は熱交換部
８は熱交換部
９は合流点
１０は合流点
１１は合流点
１２は分岐回路
Ｇは発生器
Ｃは凝縮器
Ｅは蒸発器
Ａは吸収器
Ｈａは空冷熱交換器
Ｈｗは溶液熱交換器
Ｕはユニット
Ｌｃは濃溶液
Ｌｄは希溶液
Ｒｓは冷媒蒸気（水蒸気）
Ｒｗは液冷媒（凝縮水）
Ｗｈは加熱媒体（排温水）
【図１】
0004572860.tif 000002
【図２】
0004572860.tif 000003
【図３】
0004572860.tif 000004
【図４】
0004572860.tif 000005
【図５】
0004572860.tif 000006
【図６】
0004572860.tif 000007
【図７】
0004572860.tif 000008